(57)【特許請求の範囲】
【請求項１】
入力されたオーディオ信号の伝達特性を可変して第１オーディオ信号を出力する巡回型デジタルフィルタと、
前記巡回型デジタルフィルタが出力する前記第１オーディオ信号の伝達特性を可変して第２オーディオ信号を出力する非巡回型デジタルフィルタと、
前記第１オーディオ信号と前記第２オーディオ信号とを切り替えて出力する切替選択部と、
前記切替選択部が出力するオーディオ信号を増幅する電力増幅器と、
前記電力増幅器が出力するオーディオ信号に基づいて音響放射するスピーカーと、
前記切替選択部が前記第１オーディオ信号を出力した際に得られる、前記巡回型デジタルフィルタにより実現される周波数振幅特性を加味した前記スピーカーから受聴位置に至るまでの伝達特性の、逆特性に基づく、少なくとも１種類の補正係数を保持しており、当該補正係数をフィルタ係数として前記非巡回型デジタルフィルタに出力する補正係数保持部とを備えており、
前記切替選択部が前記第２オーディオ信号を前記電力増幅器へ出力する様に切り替えられた後に、
前記非巡回型デジタルフィルタは、前記補正係数を前記フィルタ係数として用いて、前記第１オーディオ信号との畳み込み演算を処理し、処理後のオーディオ信号を前記第２オーディオ信号として前記切替選択部へ出力し、
前記巡回型デジタルフィルタは、前記スピーカから前記受聴位置に至るまでの伝達特性に於いて目標振幅値から突出した振幅値を取る周波数領域に対して、前記目標振幅値からの振幅値の離れ量を縮小する特性を、前記周波数振幅特性として保有していることを特徴とする、
音響再生装置。
【請求項２】
請求項１記載の音響再生装置であって、
前記巡回型デジタルフィルタは、前記巡回型デジタルフィルタの伝達特性が“１”である場合又は前記巡回型デジタルフィルタ及び前記非巡回型デジタルフィルタの伝達特性が共に“１”である場合に於ける、前記スピーカーから前記受聴位置に至るまでの初期的伝達特性に於いて、目標振幅値から突出した振幅値を取る周波数領域に対して、前記目標振幅値からの振幅値の離れ量を縮小する特性を、前記周波数振幅特性として保有していることを特徴とする、
音響再生装置。
【請求項３】
請求項１記載の音響再生装置であって、
前記巡回型デジタルフィルタは、前記巡回型デジタルフィルタの伝達特性が“１”である場合又は前記巡回型デジタルフィルタ及び前記非巡回型デジタルフィルタの伝達特性が共に“１”である場合に於ける、前記スピーカーから前記受聴位置に至るまでの初期的伝達特性に於いて、目標振幅値から突出した振幅値を取る周波数領域の内で、前記非巡回型デジタルフィルタを構成する有限のタップ数によって特定され且つフィルタ係数によって振幅制御が可能な周波数群の各周波数からずれた周波数領域に対して、前記目標振幅値からの振幅値の離れ量を縮小する特性を、前記周波数振幅特性として保有していることを特徴とする、
音響再生装置。
【請求項４】
請求項２又は３に記載の音響再生装置であって、
前記入力されたオーディオ信号の周波数帯域を複数の帯域に分割し、帯域毎に当該帯域に属するオーディオ信号に対して所定の信号処理を行った上で前記所定の信号処理後の各オーディオ信号を合成して、合成されたオーディオ信号を前記巡回型デジタルフィルタに出力する帯域分割処理部を更に備えたことを特徴とする、
音響再生装置。
【請求項５】
請求項４記載の音響再生装置であって、
前記帯域分割処理部は、前記所定の信号処理として、帯域毎に当該帯域に属するオーディオ信号に対してリニアリティ補正を行った上で、リニアリティ補正後の各オーディオ信号を合成して、合成されたオーディオ信号を前記巡回型デジタルフィルタに出力することを特徴とする、
音響再生装置。
【請求項６】
請求項２乃至５の何れかに記載の音響再生装置であって、
複数種類の第１補正係数を保持しており、第１選択信号に応じて前記複数種類の第１補正係数の内から前記巡回型デジタルフィルタのフィルタ係数として前記巡回型デジタルフィルタに設定する第１補正係数を選択・設定する第１補正係数保持部を更に備えており、
前記補正係数保持部は、複数種類の第２補正係数を保持しており、第２選択信号に応じて前記複数種類の第２補正係数の内から前記非巡回型デジタルフィルタのフィルタ係数として前記非巡回型デジタルフィルタに出力する第２補正係数を選択・出力する第２補正係数保持部を成しており、
前記スピーカーから前記受聴位置に至るまでの前記初期的伝達特性の状況変化に応じて前記第１選択信号のレベル及び前記第２選択信号のレベルが設定されることを特徴とする、
音響再生装置。
【発明の詳細な説明】
【技術分野】
【０００１】
本発明は、スピーカーから受聴位置までの伝達特性に対応して逆補正し、本来のオーディオ信号を忠実に再現する様に再生特性を改善した音響再生装置に関する。
【背景技術】
【０００２】
従来から、テレビ等各種ＡＶ機器のオーディオ再生系に於いて、本来のオーディオ信号に忠実な再生を阻害する様々な要因が存在する。例えば、スピーカー前面の構造物として音導管又はパンチング板が存在する場合には、音導管共振に由来するピーク／ディップの発生或いは高域減衰の発生等、忠実性を損ねる音質劣化が生ずる。又、オーディオ再生系が存在する環境も、この忠実性を損なう原因となる場合がある。例えば、ＡＶ機器から受聴位置までの音の伝達経路として、直接に受聴位置に届く波と比肩する優勢な反射波が存在する場合、或いは、音波を減衰させる物体（人体）が存在する場合等である。
【０００３】
これに対しては、従来からデジタルフィルタを使用して、スピーカーから受聴位置までの伝達特性を補正して、具体的には伝達空間を含めたスピーカーシステムの音圧及び群遅延特性を平坦化して、本来のオーディオ信号に忠実な音質を得る試みが成されている。
【０００４】
例えば、特許文献１において従来技術として引用されている特許文献２では、スピーカーから受聴位置までの周波数振幅特性の逆特性に相当する伝達特性に基づいた補正を、非巡回型デジタルフィルタ演算を用いて実施し、受聴位置での音圧周波数特性を補正している。
【０００５】
又、特許文献１に記載の発明は、スピーカー前面の音導管から受聴位置までの伝達特性を逆補正する構成を採用することにより、スピーカーユニット自身の再生特性の影響を排除することを可能とし、ユニット機種変更対応を容易化している。しかも、特許文献１は、スピーカーから受聴位置までの周波数振幅特性の逆特性に相当する伝達特性の生成を自動化する音響再生装置を開示している。
【０００６】
又、特許文献３に記載の発明は、特定の周波数帯域でベル型特性を有する巡回型デジタルフィルタと、コンボルバとして動作する非巡回型デジタルフィルタとを縦続接続した構成を採用し、非巡回型デジタルフィルタのフィルタ係数長が所定の長さに最適化される様に巡回型デジタルフィルタの特性を設定し、フィルタ規模及び群遅延量を短くして、小型で且つ安価なオーディオ信号処理装置を開示している。
【０００７】
【特許文献１】特開平８−２２８３９６号公報
【特許文献２】特開昭５８−５０８１２号公報
【特許文献３】特開平８−７９８７９号公報
【発明の開示】
【発明が解決しようとする課題】
【０００８】
上記従来の音響再生装置に於いては、スピーカーから受聴位置までの周波数振幅特性の逆特性に相当する伝達特性を、非巡回型デジタルフィルタを用いて、本来のオーディオ信号との畳み込み演算の実行により補正している。しかしながら、スピーカーから受聴位置までの周波数振幅特性に大きなピーク／ディップがある場合には、忠実に補正する様な逆特性フィルタを実現するのは難しい。そのピーク／ディップが、非巡回型デジタルフィルタを構成する有限のタップ数によって特定され、フィルタ係数によって振幅制御が可能な周波数群の、各周波数からずれた周波数領域に生じている場合には、猶更、補正が難しい。
【０００９】
又、上記従来の音響再生装置に於いては、スピーカーから受聴位置までの周波数振幅特性の逆特性に相当する伝達特性を、実使用環境に於いて自動的に生成可能とする例が提示されているが、実使用環境で実測及び逆特性生成を行うには、回路構成の複雑化と大規模化とを招くことになる。又、使用位置と周囲環境とに合わせて適した補正を行いうるとする反面、テレビ等の一般消費者向け機器の使用者に測定／生成操作を委ねることになり、補正の最適化実現には疑義が残る。
【００１０】
又、上記従来のオーディオ信号処理装置に於いては、特定の周波数帯域でベル型特性を有する巡回型デジタルフィルタと、コンボルバとして動作する非巡回型デジタルフィルタとを縦続接続して構成しており、巡回型デジタルフィルタは非巡回型デジタルフィルタの
規模及び群遅延量を短くして小型且つ安価なものとすることを目的として、存在している。即ち、当該オーディオ信号処理装置は、スピーカーから受聴位置までの周波数振幅特性に存在するピーク／ディップを個別に振幅調整するものではない。従って、非巡回型デジタルフィルタに於いて、その大きなピーク／ディップを忠実に補正する様な逆特性フィルタを実現するのは難しいし、そのピーク／ディップが非巡回型デジタルフィルタを構成する有限のタップ数によって特定されてフィルタ係数によって振幅制御が可能な周波数群の各周波数からずれた周波数領域に生じている場合には、猶更、実現が難しい。
【００１１】
本発明の目的は、スピーカーから受聴位置までの周波数振幅特性に大きなピーク／ディップがある場合に、又は、そのピーク／ディップが非巡回型デジタルフィルタを構成する有限のタップ数によって特定されてフィルタ係数によって振幅制御が可能な周波数群の各周波数からずれた周波数領域に生じている場合に、非巡回型デジタルフィルタに於いて忠実に補正される様な逆特性フィルタを実現する音響再生装置を得ることにある。
【課題を解決するための手段】
【００１２】
本発明の主題に係る音響再生装置は、入力されたオーディオ信号の伝達特性を可変して第１オーディオ信号を出力する巡回型デジタルフィルタと、前記巡回型デジタルフィルタ２が出力する前記第１オーディオ信号の伝達特性を可変して第２オーディオ信号を出力する非巡回型デジタルフィルタと、前記第１オーディオ信号と前記第２オーディオ信号とを切り替えて出力する切替選択部と、前記切替選択部が出力するオーディオ信号を増幅する電力増幅器と、前記電力増幅器が出力するオーディオ信号に基づいて音響放射するスピーカーと、前記切替選択部が前記第１オーディオ信号を出力した際に得られる、前記巡回型デジタルフィルタにより実現される周波数振幅特性を加味した前記スピーカーから受聴位置に至るまでの伝達特性の、逆特性に基づく、少なくとも１種類の補正係数を保持しており、当該補正係数をフィルタ係数として前記非巡回型デジタルフィルタに出力する補正係数保持部とを備えており、前記切替選択部が前記第２オーディオ信号を前記電力増幅器へ出力する様に切り替えられた後に、前記非巡回型デジタルフィルタは、前記補正係数を前記フィルタ係数として用いて、前記第１オーディオ信号との畳み込み演算を処理し、処理後のオーディオ信号を前記第２オーディオ信号として前記切替選択部へ出力し、前記巡回型デジタルフィルタは、前記スピーカから前記受聴位置に至るまでの伝達特性に於いて目標振幅値から突出した振幅値を取る周波数領域に対して、前記目標振幅値からの振幅値の離れ量を縮小する特性を、前記周波数振幅特性として保有していることを特徴とする。
【００１３】
以下、この発明の主題の様々な具体化を、添付図面を基に、その効果・利点と共に、詳述する。
【発明の効果】
【００１４】
本発明の主題によれば、スピーカーから受聴位置までの周波数振幅特性の逆特性に相当する伝達特性を、非巡回型デジタルフィルタを用いて本来のオーディオ信号と畳み込み演算して補正する構成に於いて、巡回型デジタルフィルタを縦列的に組み合わせて、巡回型デジタルフィルタによってスピーカーから受聴位置までの周波数振幅特性の大きなピーク／ディップをある程度抑制した状態で逆特性を求める様にしているので、非巡回型デジタルフィルタに実装するフィルタ係数として、無理の無い、妥当性の高い特性を得易い補正係数を得ることが出来ると言う効果があり、良好な音質改善を提供することが出来る。
【００１５】
又、本発明の主題によれば、非巡回型デジタルフィルタを構成する有限のタップ数によって特定されてフィルタ係数によって振幅制御が可能な周波数群の各周波数からずれた周波数領域に対して、周波数振幅特性の大きなピーク／ディップをある程度抑制した状態で逆特性を求める様にするので、非巡回型デジタルフィルタ単独では調整が困難なピーク／ディップを抑制出来る効果があり、良好な音質改善を提供することが出来る。
【００１６】
又、本発明の主題に係る音響再生装置に於いては、オーディオ信号の帯域を分割した後に合成したオーディオ信号の初期的伝達特性に於けるピーク／ディップをある程度抑制した巡回型デジタルフィルタの周波数振幅特性を加味した伝達特性に基づいて逆特性を求めて、非巡回型デジタルフィルタにより補正するので、オーディオ信号の帯域分割に伴うクロスオーバー箇所の振幅及び位相の不連続さ等の弊害を改善することが出来る。
【００１７】
又、本発明の主題に係る音響再生装置に於いては、巡回型デジタルフィルタ及び非巡回型デジタルフィルタの補正係数を、状況に応じて複数種類保持しうるので、改善効果を享受できる使用状態をより広範囲にすることが出来る。
【発明を実施するための最良の形態】
【００１８】
（実施の形態１）
図１は、本実施の形態に係る音響再生装置の基本構成を示すブロック図である。図１に於いて、巡回型デジタルフィルタ２は、オーディオ信号入力端子１に加えられるオーディオ信号の伝達特性を可変する第１のデジタルフィルタであり、第１補正係数保持部３は、１種類の複数個から成る第１補正係数を保持しており、且つ、巡回型デジタルフィルタ２に対して複数個の第１補正係数の各々を上記フィルタ２用の各フィルタ係数として適宜出力する機能を呈する部分である。そして、第１補正係数入力端子４は、第１補正係数保持部３に対して、上記の複数個から成るフィルタ係数ないしは第１補正係数を第１補正係数保持部３に入力する端子である。又、非巡回型デジタルフィルタ５は、巡回型デジタルフィルタ２が出力する第１オーディオ信号の伝達特性を可変する第２のデジタルフィルタであり、第２補正係数保持部６は、複数種類の複数個から成る第２補正係数を保持しており、且つ、非巡回型デジタルフィルタ５に対して、複数種類の第２補正係数の内から選択された種類の複数個から成る第２補正係数を、上記フィルタ５用のフィルタ係数として適宜出力する機能を呈する部分である。そして、第２補正係数選択端子７は、第２補正係数保持部６に対して、同部６で保持されている複数種類の第２補正係数の中から適切な種類の第２補正係数を指定・選択するための選択信号を、第２補正係数保持部６に入力する端子である。又、切替選択部８は、巡回型デジタルフィルタ２が出力する第１オーディオ信号と非巡回型デジタルフィルタ５が出力する第２オーディオ信号とを切替て、選択されたオーディオ信号を電力増幅器９に出力するセレクタである。尚、上記の各構成要素２，３，５，６，８は、ハードウェア（回路）として実現可能であり、或いは、マイクロコンピュータ又はＤＳＰ（デジタルシグナルプロセッサ）等に於いてソフトウェアによって実現可能な部分である。
【００１９】
本装置の音響放射系は、図１に示す通り、スピーカー１０、音導管１１、及びパンチング板１２から成る。尚、参照符号１３は、受聴位置を示す。
【００２０】
又、各演算ブロック１００，１００ａ，・・・，１００ｎは、第２補正係数保持部６に入力されて保持される各第２補正係数を与える伝達関数を算出する機能部分であり、本装置とは別個に設けられたパーソナルコンピュータ（図示せず。）内に於いてソフトウェアによって処理される工程に該当している。即ち、演算ブロック１００は伝達関数Ｈ０を有し、演算ブロック１００ａは伝達関数Ｈ０ａを有し、演算ブロック１００ｎは伝達関数Ｈ０ｎを有する。又、演算ブロック１０１は伝達関数Ｈ１を有し、演算ブロック１０２は伝達関数Ｈ２を有し、演算ブロック１０３は伝達関数Ｈ３を有し、演算ブロック１０４は伝達関数Ｈ４を有する。
【００２１】
これらの各伝達関数については、伝達関数Ｈ１はスピーカー１０のみの周波数振幅特性の逆特性に相当し、伝達関数Ｈ２は音導管１１のみの周波数振幅特性の逆特性に相当し、伝達関数Ｈ３はパンチング板１２のみの周波数振幅特性の逆特性に相当し、伝達関数Ｈ４はパンチング板１２の出力端から受聴位置１３までの音響空間のみの周波数振幅特性の逆特性に相当するものである。又、伝達関数Ｈ０は、スピーカー１０から受聴位置１３までのトータルの周波数振幅特性の逆特性に相当するものであり、その他の伝達関数Ｈ０ａ，・・・，１００ｎは、伝達関数Ｈ０と同じく、スピーカー１０から受聴位置１３までのトータルの周波数振幅特性の逆特性に相当するが、巡回型デジタルフィルタ２による特性操作を変える機能を呈する伝達関数Ｈ０の類似特性に該当する。ここでは、記載の簡単化のため、図１に於いて、伝達関数Ｈ０と伝達関数Ｈ０ａの２種類の特性に基づく第２補正係数が、第２補正係数保持部６に於いて保持されており、第２補正係数保持部６は第２補正係数選択端子７から入力される選択信号に基づいて上記２種類の第２補正係数を切り替えることにより、非巡回型デジタルフィルタ５が、切り替えられたフィルタ係数（第２補正係数）に基づいて、第１オーディオ信号の伝達特性を可変する動作を行うことになる。
【００２２】
ところで、スピーカー１０からパンチング板１２までの現実の一般的実施形態としては、例えばテレビについて言えば、パンチング板１２とはフロントパネルのスピーカー前面部分に当たる多孔性の音響抵抗部であり、音導管１１とは、スピーカー１０の前面エッジとパンチング板１２裏面間を結合する樹脂成型部分であって、スピーカー１０とパンチング板１２間にある一定容積の前室を形成している。
【００２３】
次に、図１の音響再生装置の動作について記載する。
【００２４】
図２は、スピーカー１０を電気音響変換器とする音響再生装置の再生特性の一例を示す図であり、スピーカー１０から音導管１１及びパンチング板１２を含めて受聴位置１３に於ける放射音響特性を示している。即ち、図１の構成で言えば、巡回型デジタルフィルタ２の伝達特性を“１”の状態として（伝達特性が“１”の状態とは、デジタルフィルタに入力した信号がそのままフィルタリングを受けずに出力される状態（入力信号：出力信号＝１：１）であり、デジタルフィルタを信号経路から除いた状態と遅延以外は等価である。）、切替選択部８が巡回型デジタルフィルタ２側を選択した場合、或いは、巡回型デジタルフィルタ２の伝達特性を“１”の状態とし且つ非巡回型デジタルフィルタ５の伝達特性をも“１”として切替選択部８が非巡回型デジタルフィルタ５側を選択した場合の、受聴位置１３に於ける放射音響特性である。図２に示す様に、スピーカー１０から放射された音波の振幅波形には、音導管１１の共振等に起因するピーク及びディップが発生していることが理解される。
【００２５】
これに対して、図３は、図２に示す受聴位置１３に於ける放射音響特性の逆特性を示す図であり、当該逆特性は、図２に示す測定結果に基づいてパーソナルコンピュータ（図示せず。）内に於ける処理工程である演算ブロック１００に於いて求められた伝達関数Ｈ０による伝達特性である。又、図４は、図３に示す逆特性に基づく第２補正係数を用いて、図１の様に構成された音響再生装置に於いてオーディオ信号を再生したときの受聴特性の一例を示す図である。つまり、図４は、図３に示す伝達関数Ｈ０を算出する演算ブロック１００によって与えられる種類の複数個から成る第２補正係数の各々を非巡回型デジタルフィルタ５の各フィルタ係数として用いることで、非巡回型デジタルフィルタ５の伝送特性を変化させて、図１に示す構成でオーディオ信号を再生した場合の、受聴位置１３に於ける受聴特性に他ならない。ここで、図４中の振幅レベルＡＯは、所定の周波数帯域に渡って一定値を与える「目標振幅値」である。そして、当該目標振幅値から突出した振幅値が、ピーク及びディップに相当する。尚、スピーカー１０の再生能力上及び人の聴感特性上、オーディオ信号に対する補正効果の低い領域、この例では２００Ｈｚ以下及び１０数ｋＨｚ以上の領域については、補正量を抑えた特性と成っている。
【００２６】
以上の図２乃至図４の例は、理想的に逆特性が求まり、理想的にピーク及びディップの補正が行われた場合を示しているが、実際には、回路規模の制約又は処理遅延時間の制約から、非巡回型デジタルフィルタ５のタップ長を理想的にまで長くすることは出来ない。従って、非巡回型デジタルフィルタ５を構成する有限のタップ数によって逆特性による補正は特定され、フィルタ係数の設定によって振幅制御が可能な周波数点（以下「補正可能点」と言う。）は離散的であり、補正可能点が図２に示す放射音響特性（即ち、図１に於けるスピーカー１０から受聴位置１３までの伝達特性）のピーク及びディップと適切に一致するとは限らない。例えば、４８ｋＨｚサンプリング時に２５６タップの非巡回型デジタルフィルタ５を構成すると、補正可能点は１８７．５Ｈｚ間隔で存在することになる。
【００２７】
ここで記載の便宜上、受聴位置１３に於ける放射音響特性を拡大して単純化し、特性上のピークとディップとを数箇所存在させた受聴位置１３に於ける放射音響特性の例として、図５（ａ）及び図６（ａ）を使用する。図５（ａ）、図５（ｂ）及び図５（ｃ）は、補正可能点とピーク／ディップとが適切に一致しており、理想にほぼ近い形で補正が行われる場合を示している。図５（ａ）、図５（ｂ）及び図５（ｃ）中、横方向は周波数を対数で示しており、縦方向は振幅を示している。参照記号ｆ１乃至ｆ１０の各々は、補正可能点を示している。図５（ａ）は初期的伝達特性（両フィルタ２，５が存在しないとした場合の放射音響特性）を、図５（ｂ）はその初期的伝達特性の逆特性を、図５（ｃ）は逆特性に基づく補正後の伝達特性を示している。図１に於いて、巡回型デジタルフィルタ２が存在しないものとして、非巡回型デジタルフィルタ５によって、理想にほぼ近い形で初期的伝達特性の補正が行われるのであれば、図５（ｂ）に示す逆特性は図５（ａ）とほぼ対称な形状となり、図５（ｃ）に示す様に、補正後伝達特性は平坦に近い形状と成る。但し、図５（ａ）に於ける左側ピーク及びディップ部分の様に、急峻な特性変化に対して十分忠実な逆特性を、少ない補正可能点で再現することは難しく、ピーク／ディップを打ち消しきれないことが一般的である。図５（ａ）に於ける右側ピークの様に複数の補正可能点に渡る部分に対しては忠実な逆特性を導き易く、補正後伝達特性は平坦に近い形状となる。
【００２８】
図６（ａ）、図６（ｂ）及び図６（ｃ）は、図５（ａ）に示す左側ピーク及びディップ部分を補正可能点からずれた周波数に配置した場合を示す図である。左側ピーク及びディップ部分に対しては、その周辺の補正可能点により逆特性を表すこととなるが、ピーク形状の逆特性を忠実に表すことは不可能に近い。結果として、図６（ｂ）に示す様に、周辺の補正可能点によりおおまかな形状の逆特性が表され、図６（ｃ）に示す様に補正可能点からずれた左側ピーク及びディップ部分を十分に抑制することは出来ない。
【００２９】
図７（ａ）、図７（ｂ）及び図７（ｃ）は、図５（ａ）、図５（ｂ）及び図５（ｃ）の状況に対して、巡回型デジタルフィルタ２の有する周波数振幅特性によって、振幅値が上記目標振幅値から突出した急峻なピーク及びディップ部分を抑制する場合を示している。そのために、巡回型デジタルフィルタ２の構成としては、例えば図８に示す様な、遅延器２０群、係数乗算器２１群、及び加算器２２から構成される２次ＩＩＲフィルタ（Ｂｉｑｕａｄフィルタ）を使用する。そして、図８の２次ＩＩＲフィルタが、ピーキングフィルタとして動作する様に、ピーキングフィルタ特性の動作を表す所定の係数（既述した複数個の第１補正係数）を、各係数乗算器２１の係数ａ０、ａ１、ａ２、ｂ１及びｂ２に与えて、ピーキングフィルタを実現する。ここで、「ピーキングフィルタ」とは、例えば図９に示す様に、中心周波数、利得、及びＱ（ピークの先鋭度、ピーク幅ＢＷを与える場合もある。）を与えて、任意の周波数に於ける振幅特性にピーク又はディップを作り得るフィルタであり、音響信号の分野では「パラメトリックイコライザ」として使用されている。その結果、図７（ａ）に於ける太線で示される初期的伝達特性は、巡回型デジタルフィルタ２の周波数振幅特性がピーキングフィルタ特性を有するときに、切替選択部８が巡回型デジタルフィルタ２から出力される第１オーディオ信号を電力増幅部９に出力する様に切替されたときに、上記第１オーディオ信号に基づいてスピーカー１０が音響放射を行ったときの、受聴位置１３に於ける放射音響特性を示している。
【００３０】
本実施の形態に於ける特徴点の第１は、図１のスピーカー１０から受聴位置１３までの伝達特性が、図５（ａ）に示される既述した初期的伝達特性から、図７（ａ）の太線で示す初期的伝達特性にまで減少させられる様に、その振幅値が上記目標振幅値から突出した急峻なピーク／ディップを抑制可能なピーキングフィルタ係数を、巡回型デジタルフィルタ２に実装する点にある。そのために、図５（ａ）の初期的伝達特性を参照しながらピーク／ディップを抑制するために、第１補正係数入力端子４を経由して、第１補正係数保持部３に、所望のピーキングフィルタ特性を実現する第１補正係数（複数個より成る。）を、巡回型デジタルフィルタ用フィルタ係数として保持させる。その結果として、第１補正係数保持部３から上記のフィルタ係数を読み込んだ巡回型デジタルフィルタ２は、上記の通りピーキングフィルタとして機能してその特性により、図７（ａ）に太線で示す様に急峻なピーク／ディップ部分を予め抑制する。そして、本実施の形態に於ける第２の特徴点は、ピーキングフィルタとしての巡回型デジタルフィルタ２により実現される周波数振幅特性を加味した状態で得られるスピーカー１０から受聴位置１３までの伝達特性に対して、即ち、図７（ａ）に太線で示す初期的伝達特性に対して演算ブロックの処理工程により逆特性を求めて複数種類の第２補正係数を第２補正係数保持部６に保持させて、最適な種類の第２補正係数を選別し、選別された複数個の第２補正係数をフィルタ係数として非巡回型デジタルフィルタ５に設定する点にある。この様な第１及び第２特徴点を採用する結果、図７（ｂ）に示す様に、補正可能点が粗い部分の逆特性をより忠実な形で導出し易く、図７（ｃ）に示す様に、補正後伝達特性は、図５（ｃ）の場合と比較して、より平坦化され易くなる。
【００３１】
又、図６（ａ）に示す様に、補正可能点からずれた周波数にピーク／ディップがある場合についても、同様の構成・方法により、図１０（ａ）に太線で示す様に、ピーキングフィルタとして機能する巡回型デジタルフィルタ２の周波数振幅特性によって、予めピーク／ディップを抑制することが出来るので、逆特性としては、図１０（ｂ）に示す様に、補正可能点が粗い部分を含めてより忠実な形で逆特性を導出し易く、図１０（ｃ）に示す様に、補正後伝達特性は、図６（ｃ）の場合と比較して、より平坦化され易くなるのである。
【００３２】
ここで、図１１は、図１の伝達関数Ｈ０（スピーカー１０から受聴位置１３までのトータルの周波数振幅特性の逆特性に相当）を導出するための工程図ないしはアルゴリズムを示す図である。以下、図１１を用いて、伝達関数Ｈ０の導出方法を記載する。
【００３３】
図１１に於いて、オーディオ入力信号２００としてインパルス信号を入力すると、遅延器２０４によって時間Δｔだけオーディオ入力信号２００を遅延して、入力信号と同じインパルス信号を出力する系があるものとする。この系における出力信号としては、振幅特性が全ての周波数に於いて一定であり、且つ、群遅延特性が一定（位相特性が周波数に対してリニア）な特性が、得られている。振幅特性が一定、即ち、音圧周波数特性が平坦であって且つ位相特性がリニアな音響特性はスピーカーシステムの一つの理想であり、この様な音響特性を非巡回型デジタルフィルタ（ＦＩＲフィルタ）５で実現する方法を示す。図１１に於いて、補正を行う対象であるターゲットのスピーカーシステムの伝達関数２０２に対して、あるデジタルフィルタ処理２０３を掛け合わせた時の信号（逆特性）２０５と、遅延器２０４の出力信号２０６との誤差２０１が最小と成る様に、適応フィルタ２０３に於いて適応信号処理を行うことで、ターゲットの伝達関数の逆特性を有する伝達関数Ｈ０が同定されると共に、その伝達関数Ｈ０を実現するデジタルフィルタ処理２０３の係数が決定する。実際には、図１に示す聴取位置１３にマイクロフォンを設置し、そこで収集した音響特性をターゲットの伝達関数２０２としてシステム（パーソナルコンピュータ）に与え、デジタルフィルタ処理２０３に於いて、最小二乗平均（ＬＭＳ）アルゴリズムを用いて、逆特性を有する伝達関数Ｈ０の同定を行う。図１に図示した演算ブロック１００とは、伝達関数Ｈ０を導出する上記の工程を示したものである。尚、適応信号処理には、最小二乗平均アルゴリズムを用いる他、ターゲットの伝達関数の逆特性を同定出来る手法であれば、あらゆる手法及び構成を選択しても構わない。
【００３４】
図１２は、一般的なＦＩＲフィルタを示すブロック図である。図１の非巡回型デジタルフィルタ２は、このＦＩＲフィルタの構成を有する。ここで、ＦＩＲフィルタは、Ｎ個の遅延器３００群と、定数ｈを乗算する係数乗算器３０１群と、各係数乗算器３０１の出力値を加算する加算器３０２とから構成される。そして、遅延器３００と係数乗算器３０１とを組み合わせた基本要素（タップ）を多段連結する構成を取り、有限個で設定されるタップ数が、周波数領域での特性補正の分解能に相当する。図１１のデジタルフィルタ処理２０３で決定された係数が定数ｈに相当し、この定数ｈを第２補正係数保持部６から第２補正係数乃至はフィルタ係数として与えられた図１の非巡回型デジタルフィルタ５が、巡回型デジタルフィルタ２が出力する第１オーディオ信号に対して逆特性の畳み込み演算を行って、図７（ｃ）に例示した様に、聴取位置１３での音響特性を補正する。
【００３５】
又、図１のスピーカー１０から受聴位置１３までの伝達特性は、スピーカー１０の音量レベル、配置環境に於ける反射・吸収の影響により、ピーク／ディップの振幅、周波数、及び幅などの現れ方が変化する場合もある。その様な状況変化に合わせて対応出来る様にするために、第１補正係数保持部３（図１に示すセレクタ信号（第１選択信号）ＳＬのレベルに応じて、同部３は、複数種類の第１補正係数の中から適切な１種類の第１補正係数をフィルタ係数として選択する。）、及び、第２補正係数保持部６（図１の端子７に入力される信号を第２選択信号とし、当該第２選択信号のレベルに応じて、同部６は適切な１種類の第１補正係数を選択する。）の両方に於いて、複数種類の補正係数組を保持する構成とし、スピーカー１０から受聴位置１３までの伝達特性の状況に応じて、第１選択信号ＳＬのレベル及び上記第２選択信号のレベルを逐一設定することで、非巡回型デジタルフィルタ２及び巡回型デジタルフィルタ５の動作特性（周波数振幅特性）を変更して対応する。
【００３６】
（実施の形態２）
図１３は、本実施の形態に係る音響再生装置の基本構成を示すブロック図である。図１３の音響再生装置が図１の音響再生装置と構成上に於いて相違する点は、図１の装置に対して更に、帯域分割処理部３０を巡回型デジタルフィルタ２の前段に挿入したことにある。それ以外は構成上の差は無いので、重複する構成要素の構成・動作の記載を省略する。
【００３７】
図１４は、図１３の帯域分割処理部３０の一構成例を示すブロック図であり、図１４の帯域分割処理部３０は、入力オーディオ信号の全周波数帯域を低域／中域／高域の３帯域に分割し、帯域毎に異なるリニアリティ補正を行う機能・動作を有している。図１４中、ＬＰＦ３０ａ、ＬＰＦ３０ｂ、ＨＰＦ３０ｃ、ＨＰＦ３０ｄは、それぞれ、図１３の巡回型デジタルフィルタ２（第２巡回型デジタルフィルタ）と同様に、図８のＩＩＲフィルタ構成により実現されるので、これらのフィルタ群３０ａ、３０ｂ、３０ｃ、３０ｄを巡回型デジタルフィルタ（第１巡回型デジタルフィルタ）３０ｅとして総称する。構成要素３０ｆ、３０ｇ及び３０ｈは、各帯域用のリニアリティ補正部であり、これらのリニアリティ補正部３０ｆ、３０ｇ及び３０ｈの各出力が加算器３０ｉで合成され、全帯域のオーディオ信号に戻される。リニアリティ補正の特性としては、例えば図１５（ａ）、図１５（ｂ）、図１５（ｃ）に示す様に、帯域毎に入出力関係を異なる設定として、入力信号レベルに合わせて意図した音質バランス調整を実施することが出来る。各特性共、斜めの点線上で入出力のレベルが１：１となり、リニアな状態であり、そこから外れている部分では、例えば入出力レベル変化率の圧縮／伸張が行われている。尚、図１５（ａ）、図１５（ｂ）、図１５（ｃ）の特性に於いては説明のために各特性を異ならせており、これらの特性は実際の使用特性とは必ずしも一致しない。
【００３８】
以上の様に入力したオーディオ信号の周波数帯域を分割して処理を行う場合に、ＬＰＦ３０ａ、ＬＰＦ３０ｂ、ＨＰＦ３０ｃ、ＨＰＦ３０ｄにより周波数帯域を分けて帯域毎にリニアリティ補正を行った後に、各帯域のオーディオ信号を加算器３０ｉにより合成することになる。この時の周波数振幅特性を表したのが、図１６（ａ）、図１６（ｂ）、図１６（ｃ）及び図１６（ｄ）である。ＬＰＦ３０ａの遮断周波数をｆｃ１に設定することにより図１６（ａ）に示す周波数帯域が低域のオーディオ信号が分離され、ＬＰＦ３０ｂの遮断周波数をｆｃ２に設定し且つＨＰＦ３０ｃの遮断周波数をｆｃ１に設定することにより図１６（ｂ）に示す周波数帯域が中域のオーディオ信号が分離され、ＨＰＦ３０ｄの遮断周波数をｆｃ２に設定することにより図１６（ｃ）に示す周波数帯域が高域のオーディオ信号が分離される。各帯域のオーディオ信号に対して所定のリニアリティ補正が行われた後に、リニアリティ補正後の各帯域のオーディオ信号は加算器３０ｉにより合成される。その際、クロスオーバー部分の周波数振幅特性を平坦にするのは難しく、合成後のオーディオ信号の周波数振幅特性に、図１６（ｄ）に示す様な振幅変動が生じることになる。又、位相特性について言えば、遮断周波数ｆｃ１、ｆｃ２の近辺で位相が回る結果となる。これに対しては、帯域分割処理部３０が出力する合成波による特性が加味されたスピーカー１０から受聴位置１３に至るまでの伝達特性を抑制し得る第１補正係数を求めてそれらの第１補正係数を巡回型デジタルフィルタ２のフィルタ係数に設定することにより、巡回型デジタルフィルタ２により実現される周波数振幅特性を加味したスピーカー１０から受聴位置１３に至るまでの補正後の伝達特性に基づいて演算ブロック１００に於いて逆特性を求め、当該逆特性に基づいて非巡回型デジタルフィルタ５による補正を行えば、図１６（ｄ）に示す様な上記振幅変動及び位相変動を含めた補正を行い得る。又、その際に、遮断周波数ｆｃ１、ｆｃ２を非巡回型デジタルフィルタ５の補正可能点に相当する周波数と一致させれば、非巡回型デジタルフィルタ５による補正効果を一層高めることが出来ることは言うまでも無い。
【００３９】
以上、帯域分割処理の一例として、分割した帯域毎にリニアリティ特性を変える処理（所定の信号処理に相当。）について記載したが、本発明は、帯域分割処理としては、この処理のみに限定されるものではない。その他の「所定の信号処理」として、例えば、アナウンスを聞き取り易くする為に、信号中のアナウンスを検出した場合に音声帯域を強調する処理（アナウンス音声帯域の強調）、又は、第２／第３ホルマント周波数を強調して音声明瞭度を向上させる処理（ホルマント強調による音声明瞭度の向上）、又は、背景雑音上昇を検出した時に該当周波数の信号を抑制する処理（背景雑音の低減）等を行っても良い。
【００４０】
尚、本実施の形態に於いても、実施の形態１に於いて記載した作用・効果が同様に得られることは勿論である。
【００４１】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００４２】
本発明は、テレビ等各種ＡＶ機器のオーディオ再生系への活用に於いて好適である。そして、その様な活用例に於いて、本発明は、小型薄型化等による機器構造上の条件又は低コスト化による音響性能上の条件が悪化したことによる音質劣化を改善する上で有益である。又、本発明は、帯域分割を伴う音声信号処理と合わせての性能向上に有益である。
【図面の簡単な説明】
【００４３】
【図１】本発明の実施の形態１に係る音響再生装置の基本構成を示すブロック図である。
【図２】実施の形態１に係る音響再生装置の再生特性の一例を示す図である。
【図３】実施の形態１に係る音響再生装置の逆特性の一例を示す図である。
【図４】実施の形態１に係る音響再生装置の受聴特性の一例を示す図である。
【図５】実施の形態１に係る音響再生装置の動作説明に使用する、単純化した放射音響特性の例を示す図である。
【図６】実施の形態１に係る音響再生装置の動作説明に使用する、単純化した放射音響特性の他の例を示す図である。
【図７】実施の形態１に係る音響再生装置の動作説明に使用する、図５の改善特性を示す図である。
【図８】実施の形態１に係る音響再生装置の巡回型デジタルフィルタの構成例を示す図である。
【図９】実施の形態１に係る音響再生装置の巡回型デジタルフィルタにより得られるピーキングフィルタ特性例を示す図である。
【図１０】実施の形態１に係る音響再生装置の動作説明に使用する、図７の改善特性を示す図である。
【図１１】実施の形態１に係る音響再生装置に於ける逆特性を導出する構成を示す図である。
【図１２】実施の形態１に係る音響再生装置の非巡回型デジタルフィルタに適用されるＦＩＲフィルタの構成を示すブロック図である。
【図１３】本発明の実施の形態２に係る音響再生装置の基本構成を示すブロック図である。
【図１４】実施の形態２に係る音響再生装置の帯域分割処理部の構成例を示すブロック図である。
【図１５】実施の形態２に係る音響再生装置の動作説明に使用する、リニアリティ特性例を示す図である。
【図１６】実施の形態２に係る音響再生装置の動作説明に使用する、帯域分割と合成特性とについて示す図である。
【符号の説明】
【００４４】
１  オーディオ信号入力端子、２  巡回型デジタルフィルタ、３  第１補正係数保持部、４  第１補正係数入力端子、５  非巡回型デジタルフィルタ、６  第２補正係数保持部、７  第２補正係数選択端子、８  切替選択部、９  電力増幅器、１０  スピーカー、１１  音導管、１２  パンチング板、１３  受聴位置、１００，１００ａ，１００ｎ  演算ブロック。
【図１】
0004368917.tif 000002
【図２】
0004368917.tif 000003
【図３】
0004368917.tif 000004
【図４】
0004368917.tif 000005
【図５】
0004368917.tif 000006
【図６】
0004368917.tif 000007
【図７】
0004368917.tif 000008
【図８】
0004368917.tif 000009
【図９】
0004368917.tif 000010
【図１０】
0004368917.tif 000011
【図１１】
0004368917.tif 000012
【図１２】
0004368917.tif 000013
【図１３】
0004368917.tif 000014
【図１４】
0004368917.tif 000015
【図１５】
0004368917.tif 000016
【図１６】
0004368917.tif 000017